(57)【要約】【課題】液体を注入したとき、持ち手に液体がまわらないようにしながら、持ち易い液体容器を提供することにある。【解決手段】湯たんぽ１は、お湯を収容する第１の空間部２０１を備えた中空の容器本体２０と、容器本体２０に接続された持ち手１０とを有する。持ち手１０は、中空の棒状であり、第１の空間部２０１と持ち手１０の第２の空間部１０１との間に中実な塞ぎ部１４を有する。塞ぎ部１４は、第１の空間部２０１と持ち手１０の第２の空間部１０１とを閉塞することにより、第１の空間部２０１から持ち手１０の第２の空間部１０１へのお湯の流入を遮断する。【選択図】図７
2016116758.tif 000002
【特許請求の範囲】
【請求項１】
液体を収容する第１の空間部を備えた中空の容器本体と、
該容器本体に接続された持ち手と、
を備える液体容器であって、
前記持ち手は中空の棒状であり、
前記第１の空間部と前記持ち手の内部空間との間に中実な塞ぎ部を備え、
前記塞ぎ部は、前記第１の空間部と前記持ち手の内部空間とを閉塞することにより、前記第１の空間部から前記持ち手の内部空間への液体の流入を遮断する液体容器。
【請求項２】
前記持ち手は、長手方向の端部のみが前記容器本体と接続されている請求項１に記載の液体容器。
【発明の詳細な説明】
【技術分野】
【０００１】
本発明は、液体、流動体等を収容する液体容器に関する。
【背景技術】
【０００２】
この種の液体容器として、例えば、布団の中で寝ている間に足を温めるため、中にお湯をいれて使用される湯たんぽがあった。開示の特許文献１の湯たんぽは、ブロー成形で成形される。湯たんぽは、液体を収容する空間を備えた中空の扁平状の容器本体と、容器本体と接続して中空に形成され、持ち運ぶ際に使用される持ち手と、容器本体に液体を注入するための注入口と、注入口を封鎖する着脱可能な蓋とを有する。この湯たんぽは、注入口を上に向けたとき、持ち手が容器本体の周囲から水平に延びている。そして、容器本体の空間と持ち手の空間とが連通して繋がっている。
【先行技術文献】
【特許文献】
【０００３】
【特許文献１】実用新案登録第３１３６９６５号公報
【発明の概要】
【発明が解決しようとする課題】
【０００４】
このような従来の湯たんぽは、注入口からお湯を注入したとき、容器本体の空間のお湯が持ち手側の空間にまわり、持ち手の空間にお湯がすぐにいっぱいになる。持ち手の中でお湯がいっぱいになった状態では、お湯の熱によって、持ち手の温度が一気に上昇して、持ち手の外回りが熱くなる。持ち手を持って持ち運ぶ際、人が熱いと感じて持ち運びに不都合が生じる恐れがあった。
【０００５】
本発明は上述の点に鑑みて創案されたものであり、本発明が解決しようとする課題は、液体を注入したとき、持ち手に液体がまわらないようにしながら、持ち易い液体容器を提供することにある。
【課題を解決するための手段】
【０００６】
上記課題を解決するための手段として、本発明の液体容器は、液体を収容する第１の空間部を備えた中空の容器本体と、容器本体に接続された持ち手とを有する。持ち手は、中空の棒状であり、第１の空間部と持ち手の内部空間との間に中実な塞ぎ部を有する。塞ぎ部は、第１の空間部と持ち手の内部空間とを閉塞することにより、第１の空間部から持ち手の内部空間への液体の流入を遮断する。本発明は、液体容器を横に倒した状態でも持ち手に液体がまわらないので、持ち手を触ったとき液体の温度による影響をうけにくく、持ち手を握って持ち運びがし易い。
【０００７】
この液体容器は、この場合、好ましくは、上述の持ち手は、長手方向の端部のみが容器本体と接続されている。
【発明の効果】
【０００８】
本発明によれば、液体を注入したとき、持ち手に液体がまわらないようにしながら、持ち易い液体容器を提供することができる。
【図面の簡単な説明】
【０００９】
【図１】第１の実施形態にかかる湯たんぽの斜視図である。
【図２】図１に示される湯たんぽの平面図である。
【図３】図１に示される湯たんぽの底面図である。
【図４】図１に示される湯たんぽのIV矢視図である。
【図５】図１に示される湯たんぽのV矢視図である。
【図６】図１に示される湯たんぽのVI矢視図である。
【図７】図２に示される湯たんぽのVII−VII断面図である。
【図８】第１の実施形態にかかる湯たんぽと湯たんぽを成形する金型装置の断面図である。
【図９】変形例１にかかる湯たんぽの斜視図である。
【図１０】図９に示される湯たんぽの底面図である。
【図１１】図９に示される湯たんぽのXI矢視図である。
【図１２】図９に示される湯たんぽのXII矢視図である。
【発明を実施するための形態】
【００１０】
第１の実施形態を説明する。図１に示される湯たんぽ１は、容器本体２０と、持ち手１０とを備える。容器本体２０は、お湯を収容するためのものである。容器本体２０は、中空状に形成されていると共に、扁平状に形成されている。湯たんぽ１は、扁平な容器本体２０の他面と比べて容器本体２０の大きな面を下にして置いた状態で通常は使用される。この状態を本明細書では、通常使用状態と称する。湯たんぽ１は、通常使用状態にて上部から容器本体２０にお湯が注入される。持ち手１０は、持ち運びするために人が握るためのものである。持ち手１０は、通常使用状態で、容器本体２０の周面から水平方向に張り出して形成されている。湯たんぽ１は、容器本体２０の持ち手１０が設けられた周面とは反対側の周面を底にして自立させることができる。容器本体２０の内部空間を、第一の空間部２０１、持ち手１０の内部空間を、第二の空間部１０１と称する。第一の空間部２０１と、第二の空間部１０１とは後述するように繋がっていない。
【００１１】
図１〜図６に示される容器本体２０は、表面側部２１と、裏面側部２３と、一対の側面部２４と、持ち手側部２８と、底面部２９とを備える。表面側部２１は、お湯を注入する際に上面になる部位である。裏面側部２３は、お湯を注入する際に下面になる部位である。側面部２４、持ち手側部２８及び底面部２９は、通常使用状態で容器本体２０の周面を形成する部位である。
【００１２】
裏面側部２３は、図３に示すように裏面凹部２５と、裏面表示部２７とを備える。裏面凹部２５は、容器本体２０がつぶれないように強度を向上させるために形成された部位である。裏面凹部２５は、平面視で見て略楕円状に形成された凹みの部位である。裏面凹部２５は、４本横並び形成されているが、他の本数で並べてもよい。裏面表示部２７は、金型転写による文字や記号を表示するために形成された部位である。裏面表示部２７は、平面視で見て略矩形状に形成された凹み部位である。その略矩形状に形成された凹み部位の４隅は丸みを帯びて形成されている。
【００１３】
表面側部２１は、図１及び図２に示すように注入口３０と、開口３４と、蓋１００と、表面凹部２２と、表面端凹部２６とを備える。開口３４は、注入口３０に囲まれた空間である。注入口３０は、容器本体２０にお湯を入れるためのものである。注入口３０は、平面視でみて略円形状に形成される部位である。注入口３０は、容器本体２０に接続された持ち手１０と、容器本体２０に対して反対側に配置される。また注入口３０は、容器本体２０の底面部２９側に配置される。そのため、容器本体２０を立てて置けば注入口３０から排出されてお湯を捨てることができる。その配置された注入口３０は、凸部３２と螺合部３６を有する。凸部３２は、表面側部２１の面に対して突出して形成される部位である。凸部３２は、円筒状に形成されている。その円筒状に形成されている部位の外回りに螺旋状に形成された螺合部３６を有する。螺合部３６は、蓋１００と螺合させるための部位である。蓋１００は、注入口３０を閉鎖する着脱可能なものである。蓋１００は、ポリプロピレンで形成されている。蓋１００は、平面視で見て略円形状に形成されている。蓋１００は、注入口３０の螺合部３６と螺合される。この螺合によって、開口３４が覆われて、容器本体２０の第一の空間部が封鎖される。注入口３０は、表面側部２１のうちで最も突出して形成されている。
【００１４】
表面凹部２２は、容器本体２０がつぶれないように強度を向上させるために形成された部位である。表面凹部２２は、平面視で見て略楕円状に形成された凹みの部位である。表面凹部２２は、４本横並び形成されているが、他の本数で並べてもよい。また他の形態として、裏面凹部２５と異なる本数で並べてもよい。表面端凹部２６は、注入口３０の回りを補強するために形成された凹みである。表面端凹部２６は、注入口３０の回りに形成される。その形成された凹みの一端側は、容器本体２０の端部を切欠くようにして凹みを形成している。その形成された凹みの他端側は、丸みを帯びて形成されると共に、平面視で見て円弧状の凹みを形成している。その形成された円弧状の凹みは、その外周側の略中央が表面凹部２２と接した状態で形成されている。
【００１５】
側面部２４は、図１に示すように一方側の部位と、図示しないが容器本体２０に対して一方側の反対側に位置する他方側の部位とで、一対の部位として配置されている。一対の側面部２４は、各側面部２４の長手方向の一端側が持ち手側部２８に隣接して配置され、各側面部２４の長手方向の他端側が底面部２９に隣接して配置されている。また一対の側面部２４は、各側面部２４の短手方向の一端側が表面側部２１と隣接して配置され、短手方向の他端側が裏面側部２３と隣接して配置されている。側面部２４は、図１及び図４に示すように平面視で略矩形状の面で形成されている。側面部２４は、持ち手１０の長手方向の外周面の延長線上に配置されている部位である。側面部２４は、補強部１８の一部が一端側に配置されている。補強部１８は、容器本体２０を補強するものである。補強部１８は凸状に形成されている。その凸状に形成された部位は、持ち手１０側に接続される。
【００１６】
持ち手側部２８は、図１及び図３に示すように表面側部２１と裏面側部２３と側面部２４とが各隣接して配置された部位である。持ち手側部２８は、図１、図４及び図５に示すように持ち手２０側に向けて、容器本体２０の平面視で見て内側に向けて傾斜させた部位である。その傾斜させた端は、持ち手１０と接続されている。その接続された持ち手側部２８の両端は、側面部２４に沿って配置される。
【００１７】
底面部２９は、図１に示すように容器本体２０に対して持ち手側部２８の反対側に位置する部位であり、表面側部２１と裏面側部２３と側面部２４とが各隣接して配置された部位である。図６に示される底面部２９は、立てる場合に底になる部位である。また底面部２９は、持ち手１０を握って持ち運ぶ際に下方に向けられる面の部位である。その部位は、図６に示すように平面視で見て４隅が丸みを帯びた略矩形状で、略平滑に形成されている。そうすることで、扁平な容器本体２０でも一時的に立てて置く際に、倒れないように安定的に保つことができる。またその部位の周囲は、丸みを帯びて形成されている。
【００１８】
図１〜図３に示される持ち手１０は、一部が湾曲した中空の棒状に形成された略Ｕ字形状の部位である。持ち手１０は、握り部１２と、塞ぎ部１４と、補強部１８とを備える。
【００１９】
握り部１２は、人が持ち運びしやすくするための人が握る部位である。握り部１２は、図１に示すように長手方向の端部が湾曲した中空の棒状に形成されている。上述するように、その内部空間を第二の空間部１０１と称する。握り部１２は、塞ぎ部１４に接続されている。
【００２０】
塞ぎ部１４は、容器本体２０の内部空間（第一の空間部２０１）と持ち手１０の内部空間（第二の空間部１０１）とを閉塞するための中実な部位である。塞ぎ部１４は、図１〜図４に示すように容器本体２０の第一の空間部２０１と持ち手１０の第二の空間部１０１との間に配置されている。塞ぎ部１４は、図４に示すように握り部１２から塞ぎ部１４側にかけて側面視で見て図面上下方向の幅が狭くなるようにしながら最も幅狭になるように形成されている。また塞ぎ部１４は、容器本体２０から塞ぎ部１４側にかけて側面視で見て図面上下方向の幅が狭くなるようにしながら最も幅狭になるように形成されている。なお、握り部１２の幅は、容器本体２０の幅よりも狭くなるようにして形成されている。塞ぎ部１４の側部は、側面視で見て、略直線状に形成されている。その略直線状に形成された塞ぎ部１４は、その内側部に沿ってリブ１８０の側面が略直線状に形成されている。その塞ぎ部１４は、その外側部に沿って補強部１８の側面が略直線状に形成されている。そうすることで、塞ぎ部１４の両側は、リブ１８０と補強部１８とが配置されることによって、応力を分散させて補強できる。なお塞ぎ部１４は、一端側が握り部１２に接続され、他端側が容器本体２０に接続される。
【００２１】
補強部１８は、持ち手１２を補強するためのものである。補強部１８は、図１〜図５に示すように握り部１２の外側に沿って凸状に形成されている。その凸状に形成している部位は、持ち手１０の一端側から他端側にかけて連続して形成されている。さらに補強部１８の一端側及び他端側のいずれも、容器本体２０側へ延設して配置されている。
【００２２】
図１〜図３に示されるように握り部１２と、塞ぎ部１４と、容器本体２０の持ち手側部２８とに囲まれて握り用開口１６が形成される。握り用開口１６は、人が指を通して握り易くするためのものである。握り用開口１６は、平面視で見て略矩形状に形成されている。握り用開口１６の回りは、リブ１８０が形成されている。リブ１８０は、持ち手１０の内周を補強するものである。リブ１８０は、握り部１２と、塞ぎ部１４と、容器本体２０の持ち手側部２８とに囲まれた内周に沿って、凸状に形成されている。その凸状に形成されている部位は、その内周の全周に亘って連続して繋がっている。
【００２３】
図１及び図２で示される補強部１８と、リブ１８０とは、持ち手１０の短手方向の両側に湾曲状又は直線状に形成されている。その形成された構成によって、容器本体２０及び握り部１２より平面視で見て上下方向の幅が狭い塞ぎ部１４であっても応力を分散させて補強することを保つことができる。
【００２４】
次に図７で示される容器本体２０及び持ち手１０の内部構成について説明する。容器本体２０の内部の空間を形成する第一の空間部２０１と、持ち手１０の内部の空間を形成する第二の空間部１０１は、塞ぎ部１４によって閉塞されている。そのため、お湯が容器本体２０側から持ち手１０側へ流入できない構成となっている。容器本体２０の上側は注入口３０があり、その注入口３０から第１の空間部２０１へは、お湯が流入可能となっている。
【００２５】
次に、図８で示される湯たんぽ１の製造方法について説明する。湯たんぽ１は、ポリエチレン等の熱可塑性樹脂を用いて、例えば、ブロー成形によって製造される。ブロー成形では、まず、金型装置の上方に設けた環状の樹脂通路口３０６から溶融した樹脂を押し出し、筒状の溶融樹脂（パリソン）を形成する。次いで、そのパリソンを一対の金型３０２、３０４で挟みながら、パリソンにエアを噴き込むことでパリソンを金型３０２、３０４に沿わせて中空な容器状に成形する。金型３０２、３０４は、成形される湯たんぽ１の表面側部２１と裏面側部２３とを挟むように配置されている。金型３０２、３０４は、パリソンの上下位置を閉じ合わせるとともに、パリソンの中間で間隙が狭くなっておりパリソンを閉塞する。これにより、中間に塞ぎ部１４が形成される。そして、パリソンの塞ぎ部１４よりも下側に第１エアノズル３１０からエアが噴き込まれると同時に、パリソンの塞ぎ部１４よりも上側に第２エアノズル３０８からエアが噴き込まれる。第１エアノズル３１０は、成形される表面側部２１を貫通して横方向からパリソンの内部にエアを噴き込むために配置されるものである。その配置された第１エアノズル３１０よりエアが噴き込まれることで、第一の空間部２０１が形成される。第１エアノズル３１０の貫通位置は、注入口３０の設けられる位置である。注入口３０は、予め別体で形成されたものが金型３０２（入れ子３１４）に保持されて、軟化状態のパリソンに接続されることで一体化される。第２エアノズル３０８は、金型装置の上方からパリソンの上端よりエアを噴き込むために配置されるものである。その配置された第２エアノズル３０８よりエアが噴き込まれることで、第二の空間部１０１が形成される。このようなブロー成形方法によれば、パリソンの中間を閉塞して塞ぎ部１４を形成したうえで、そのパリソンの上下の部分にそれぞれ同時にエアが噴き込まれることで、第一の空間部２０１と第二の空間部１０１とが同時に形成される。樹脂が冷え固まった後に金型３０２、３０４を開き成形品を取り出す。その金型３０２、３０４を開く際、モーター３１２によって入れ子３１４を回転させながら、注入口３０が金型３０２から取りはずされる。その後、塞ぎ部１４と塞ぎ部１４との間で、握り用開口１６が切り取られて形成される。更に、第１エアノズル３１０が貫通した注入口３０の内周部分が切り取られて、開口３４が形成される。最後に外回りに付着した樹脂カス等のバリ等を取って、湯たんぽ１が得られる。
【００２６】
以上のように第１の実施形態は、次のような作用効果を奏する。湯たんぽ１は、お湯を収容する第一の空間部２０１を備えた中空の容器本体２０と、容器本体２０に接続された持ち手１０とを有する。持ち手１０は、中空の棒状であり、お湯を収容する第一の空間部２０１と持ち手１０の第二の空間部１０１との間に中実な塞ぎ部１４を有する。そのうえで、持ち手１０が中空の棒状となるので、持ち易い。塞ぎ部１４は、お湯を収容する第一の空間部２０１と持ち手１０の第二の空間部１０１とを閉塞することにより、お湯を収容する第一の空間部２０１から持ち手１０の第二の空間部１０１へのお湯の流入を遮断する。そうすることで、湯たんぽ１の持ち手１０に液体が充填されることがないので、持ち手１０を触ったとき液体の温度による影響をうけにくく、熱いお湯をいれた状態でも持ち手１０を握って持ち運びがし易い。
【００２７】
また湯たんぽ１は、上述の持ち手１０では、長手方向の端部のみが容器本体２０と接続されている。そうすることで、持ち手１０を人の手で握る際、持ち手１０の部位の範囲をかせぐことができ、握るときに容器本体２０と接続された部位が邪魔にならず、持ち運びがし易い。
【００２８】
次に図９〜図１２で示される変形例１について説明する。変形例１の湯たんぽ１ａは、第１の実施形態の湯たんぽ１とほぼ同一の基本構成を備えるため、共通の構造や製造方法は対応する符号を付す等して詳細な説明を省略する。このことは、後述する他の変形例においても同様である。
【００２９】
図９〜図１２に示される湯たんぽ１ａは、容器本体２０ａと、持ち手１０ａとを備える。持ち手１０ａは、湾曲した中空の棒状に形成された略Ｃ字形状の部位である。持ち手１０ａの長手方向の端部は、容器本体２０ａに接続されている。容器本体２０ａは、表面側部２１ａと、裏面側部２３ａと、側面部２４ａと、持ち手側部２８ａと、底面部２９ａとを備える。
【００３０】
裏面側部２３ａは、図１０に示すように裏面表示部２７ａを備える。裏面表示部２７ａは、平面視で見て略矩形状に形成された凹み部位である。その略矩形状に形成された凹み部位の４隅は丸みを帯びて形成されている。その凹み部位は、裏面側部２３ａの端部以外の略全域に亘って形成されている。
【００３１】
表面側部２１ａは、図９に示すように注入口３０ａと、蓋１００ａと、表面凹部２２ａと、表面端凹部２６ａ、開口３４ａとを備える。
【００３２】
表面凹部２２ａは、平面視で見て略楕円状に形成された凹みの部位である。表面凹部２２ａは、８本横並び形成されているが、他の本数で並べてもよい。表面凹部２２ａに対して裏面側は、裏面表示部２７ａが配置されている。
【００３３】
側面部２４ａは、図９に示すように平面視で見て矩形状の面で形成されている。側面部２４ａは、持ち手１０ａの長手方向の外周面の延長線上に配置されている部位である。側面部２４ａは、補強部１８ａが長手方向の一端側から他端側へ配置されている。補強部１８ａは、凸状に形成されている。その凸状に形成された部位は、表面側部２１ａ又は裏面側部２３ａから平面視で見て外周の全周に亘って配置されている。
【００３４】
底面部２９ａは、図１１及び図１２に示すように平面視で見て４隅が丸みを帯びた略矩形状で、略平滑に形成されている。またその部位の周囲は、丸みを帯びて形成されている。底面部２９ａの内側は、図１２に示すように補強部１８ａと、底面凹部２０２とを有する。補強部１８ａは、底面凹部２０２、２０２に挟まれるようにして配置されている。底面凹部２０２の凹みによって、補強部１８ａは、図１２に示すように底面部２９ａの端部（外周側）よりも容器本体２０ａ側に位置されている。その位置によって、底面部２９ａの面で容器本体２０ａを立てる場合、補強部１８ａが平らな地面に置くとき、補強部１８と地面とが接触しないようにすることができる。
【００３５】
持ち手１０ａは、図９〜図１１に示すように握り部１２ａと、塞ぎ部１４ａと、補強部１８ａの一部とを備える。持ち手１０ａは、全体的に湾曲状に形成されている。
【００３６】
握り部１２ａは、図９に示すように長手方向に沿って一端側から他端側にかけて湾曲状に、かつ、中空の棒状に形成されている。握り部１２ａは、塞ぎ部１４ａに接続されている。
【００３７】
塞ぎ部１４ａは、図９及び図１０に示すように容器本体２０ａの第一の空間部２０１ａと持ち手１０ａの第二の空間部１０１ａとの間に配置されている。塞ぎ部１４ａは、容器本体２０ａの短手方向の最端部よりも内側の位置から開始してさらに内側の位置に亘って配置されている。塞ぎ部１４ａの側部は、図１０に示すように平面視で見て、湾曲状に形成されている。その湾曲状に形成された塞ぎ部１４ａは、その内側部に沿ってリブ１８０ａが湾曲状に形成されている。その塞ぎ部１４ａは、その外側部に沿って補強部１８ａが湾曲状に形成されている。そうすることで、塞ぎ部１４ａの両側が、リブ１８０ａと補強部１８ａとで湾曲しつつ応力を分散させて補強できる。なお塞ぎ部１４ａは、一端側が握り部１２ａに接続され、他端側が容器本体２０ａ側で接続される。
【００３８】
図９及び図１０に示されるように握り部１２ａと、塞ぎ部１４ａと、容器本体２０ａの持ち手側部２８ａとに囲まれて握り用開口１６ａが形成されている。握り用開口１６ａは、平面視で見て扁平な略楕円状に形成されている。握り用開口１６ａの回りは、リブ１８０ａが形成されている。リブ１８０ａは、持ち手１０ａの内周を補強するものである。リブ１８０ａは、握り部１２ａと、塞ぎ部１４ａと、容器本体２０ａの持ち手側部２８ａとに囲まれた内周に沿って、凸状に形成されている。その凸状に形成されている部位は、その内周の全周に亘って連続して繋がっている。
【００３９】
図１０で示される補強部１８ａと、リブ１８０ａとは、持ち手１０ａの短手方向の両側で、持ち手の長手方向に沿って平面視で見て湾曲状に形成されている。その形成された構成によって、容器本体２０ａ及び握り部１２ａより上下方向の幅が狭い塞ぎ部１４ａであっても応力を分散させて補強することを保つことができる。
【００４０】
次に容器本体２０ａ及び持ち手１０ａの内部構成について説明する。図９に示される容器本体２０ａの内部は、中空であり第一の空間部２０１ａを有する。持ち手１０ａの内部は、中空であり第二の空間部１０１ａを有する。容器本体２０ａの第一の空間部２０１ａと、持ち手１０ａの第二の空間部１０１ａは塞ぎ部１４ａによって閉塞されている。そのため、お湯が容器本体２０ａ側から持ち手１０ａ側へ流入できない構成となっている。容器本体２０ａの上側は注入口３０ａがあり、その注入口３０ａから第一の空間部２０１ａへはお湯が流入可能となっている。
【００４１】
以上のように変形例１は、次のような作用効果を奏する。上述した構成によれば、第１の実施形態１で説明した湯たんぽ１と同様の作用効果を奏することができる。また、湯たんぽ１ａの握り部１２ａは、長手方向に沿って一端側から他端側にかけて湾曲状で、かつ、中空の棒状で形成される。そうすることで、握りやすくより持ち運びし易い。
【００４２】
また、塞ぎ部１４ａの側部は、平面視で見て、湾曲状に形成されている。そうすることで、より効果的にお湯を持ち手１０ａ側に回らないようにしつつ、人が熱いと感じる不具合が生じず、持ち運びがし易い。
【００４３】
本実施形態の湯たんぽ１、１ａは、上述した実施形態に限定されるものではなく他の形態でも実施できる。本実施形態では、容器本体２０、２０ａの上側は注入口３０、３０ａがあり、その注入口３０、３０ａからお湯が流入可能となっているがこれに限られるものではない。注入口３０、３０ａを設けず、予め液体を流入した状態で容器本体２０、２０ａを製造して形成してもよい。例えば、製造する際、水等の液体を流入した状態で封鎖すれば、レンジで温めたり、冷蔵庫で冷やしたりすることで適宜湯たんぽ又は氷枕として利用することもできる。そうすることで、使用者が液体を注入する手間が省ける。
【００４４】
また本実施形態では、液体容器の例として、湯たんぽ１、１ａに適用したがこれに限られるものではない。他の容器、特に、扁平状の他種類の容器に適用してもよい。例えば、氷枕に適用してもよい。氷枕の場合は、容器本体の注入口に氷水をいれた場合でも、冷たい液体が持ち手に回らず、冷たいと感じて持ち運びに不都合が生じず、持ち運びがし易い。また他の形態として、湯たんぽや氷枕以外の、お湯又は氷水以外の液体、流動体又は粘性体を入れる容器に適用してもよい。
【００４５】
また本実施形態では、湯たんぽ１、１ａの蓋１００、１００ａ以外は、ポリエチレンで形成されているものを適用し、湯たんぽ１、１ａの蓋１００、１００ａは、ポリプロピレンで形成されているものを適用したがこれに限られるものではない。他の種類の樹脂で適用してもよい。
【００４６】
また持ち手１０、１０ａは、少なくとも握る部分が棒状を成す。棒状とは、直線状にしたものだけでなく湾曲状にしたものをも含む。本実施形態では、湯たんぽ１、１ａの持ち手１０、１０ａは、全体を略Ｕ字形状や略Ｃ字形状を有した上述の構成を適用したがこれらに限られるものではない。持ち手は、略一の字状（略直線状）、略Ｌ字状又は略への字状として持ち手の長手方向の一端部のみ容器本体と接続してもよい。また他の形態として、持ち手の長手方向の中央部分に、持ち手が略Ｔ字形状になるようにして容器本体と接続してもよい。また他の形態として、持ち手の長手方向の中央部分と端部側の間の一部で、容器本体と接続してもよい。なおこれらの他の形態に適用した容器本体と接続した部位に、塞ぎ部を設けてもよい。
【００４７】
また本実施形態では、液体容器の製造方法として、ブロー成形を適用したがこれに限られるものではない。例えば、エアーモールド成形でもよい。エアーモールド成形では、一対の金型でパリソンを挟み込み、金型とパリソンとの間の空気を吸引することでパリソンを金型に沿わせて成形することができる。かかるエアーモールド成形によっても、第一の空間部と第二の空間部とを同時に形成することができる。また、第一の空間部と第二の空間部の成形において、一方にブロー成形方式を適用し、他方にエアーモールド成形方式を適用して、同時に第一の空間部と第二の空間部を形成することもできる。また、注入口は、予め別体で形成して一体化するのに限らず、液体容器の成形時に、予め別体で形成したものを用いず、同時に一体形成してもよい。
【符号の説明】
【００４８】
１、１ａ          湯たんぽ
１０、１０ａ      持ち手
１２、１２ａ      握り部
１４、１４ａ      塞ぎ部
１６、１６ａ      握り用開口
１８、１８ａ      補強部
２０、２０ａ      容器本体
２１、２１ａ      表面側部
２２、２２ａ      表面凹部
２３、２３ａ      裏面側部
２４、２４ａ      側面部
２５              裏面凹部
２６、２６ａ      表面端凹部
２７、２７ａ      裏面表示部
２８、２８ａ      持ち手側部
２９、２９ａ      底面部
３０、３０ａ      注入口
３２              凸部
３４、３４ａ      開口
３６              螺合部
１００、１００ａ  蓋
１０１、１０１ａ  第二の空間部
１８０、１８０ａ  リブ
２０１、２０１ａ  第一の空間部
２０２            底面凹部
３０２            金型
３０４            金型
３０６            樹脂通路口
３０８            第２エアノズル
３１０            第１エアノズル
３１２            モーター
３１４            入れ子
【図１】
2016116758.tif 000003
【図２】
2016116758.tif 000004
【図３】
2016116758.tif 000005
【図４】
2016116758.tif 000006
【図５】
2016116758.tif 000007
【図６】
2016116758.tif 000008
【図７】
2016116758.tif 000009
【図８】
2016116758.tif 000010
【図９】
2016116758.tif 000011
【図１０】
2016116758.tif 000012
【図１１】
2016116758.tif 000013
【図１２】
2016116758.tif 000014